(57)【要約】  セルフクリーニング可能なローラモップは、プルロッド４１と、モップ頭部品１と、モップ頭部品１を収容できる洗浄ボウルと、を備える。プルロッド４１は把握操作するためのものであり、モップ頭部品１中のモータ１５によって駆動されてローラ１０が床面の清掃を行い、床掃除終了後、モップ頭部品１を洗浄ボウルに入れて充電し水で洗浄することができる。前記ローラモップにはゴミ箱１７が付いており、数多くの細かいゴミを収容でき、モータ１５による駆動で労働強度が軽減され、連続作業が可能であり掃除効率が高く、同時に自己清浄の機能を有し、手軽で便利に使用される。
2019528148.tif 000002
【特許請求の範囲】
【請求項１】
プルロッド４１と、モップ頭部品１と、モップ頭部品を収容できる洗浄ボウルと、を備えるセルフクリーニング可能なローラモップであって、
前記プルロッドは把握操作するためのものであり、内部には制御回路と、制御回路に電気的に接続される電池２と、電源ボタン５と、自己清浄ボタン４と、信号接触片８と、充電接触片７とが設けられ、外部にはフック６が設けられており、
前記モップ頭部品はハウジングを有し、ハウジングの後端がプルロッドの底部にヒンジで接続され、ハウジングの内部に制御回路によって制御されるモータ１５が設けられており、モータはその外側のローラ１０を駆動でき、ローラの下部がハウジングの前部から露出して床面を掃除し、ハウジングの内部には、ローラに近い位置にゴミ箱１７が設けられており、
前記洗浄ボウルは、ボウル本体４６を有し、ボウル本体に上下重ね合わせる洗浄室４８と出水室４９とが設けられており、洗浄室は、上方に開放され洗浄対象のモップ頭部品を収容するために用いられ、給水電磁弁２９を介して外部の水道水に接続され、出水室は排水電磁弁３１を介して外部汚水管に接続され、洗浄室と出水室との間にゴミ網２８が設けられており、前記ボウル本体４６の一側にプルロッドを支持するための１本の支持柱４７が立設し、支持柱にプルロッドフックを差し込むためのソケット２４と、信号ドーム８ａと、充電ドーム７ａとが設けられており、給水電磁弁と排水電磁弁が信号接触片、信号ドームを介して制御回路に接続され、商用電源が電源アダプタを経由してから充電接触片、充電ドームを介して制御回路に接続されることを特徴とする、セルフクリーニング可能なローラモップ。
【請求項２】
前記ハウジングは、上下係合され得る上蓋４２と、シャーシ４３とを有し、シャーシの後部が回転軸４４を介してプルロッドの底部にヒンジで接続され、シャーシの後部に車輪４５が設けられていることを特徴とする、請求項１に記載のセルフクリーニング可能なローラモップ。
【請求項３】
前記ゴミ箱１７の前端は、ローラと床面に近接する位置に掻き取りゴムシート１８が１つ取り付けられ、上蓋の中部にローラ表面を掃除するための掃除シート１４が１つ固定され、前記ゴミ箱１７の底面には、上方に開けられる１枚のフラップドア１３と、上方に突出した少なくとも１本の中空の洗浄スリーブ１１とが開設されることを特徴とする、請求項２に記載のセルフクリーニング可能なローラモップ。
【請求項４】
前記上蓋４２の前端とシャーシ４３の前端とがヒンジで接続され、上蓋の後端がスプリングハンドル９を介してシャーシの中部に係合されることを特徴とする、請求項３に記載のセルフクリーニング可能なローラモップ。
【請求項５】
前記プルロッド４１の先端にモップ頭部品の方に曲がるハンドル５２が設けられており、前記電源ボタン５と自己清浄ボタン４が前記ハンドルに設けられることを特徴とする、請求項４に記載のセルフクリーニング可能なローラモップ。
【請求項６】
前記シャーシ４３の中部とプルロッド４１の下端との間にバネ５３が設けられており、プルロッドは外力が働いていない場合、バネによって駆動されモップ頭部品１の上方に移行することで、ローラモップが立設姿勢を保っており、前記プルロッド４１は伸縮ロッドを用いることを特徴とする、請求項５に記載のセルフクリーニング可能なローラモップ。
【請求項７】
前記電池２は長尺形構造を用い、プルロッドの底部の外側壁に係止され、前記掃除シート１４はブラシ又はゴムシートを用い、ローラは高分子フォームを用いることを特徴とする、請求項６に記載のセルフクリーニング可能なローラモップ。
【請求項８】
前記洗浄室の側壁に制御回路に接続される水位センサ２６が設けられ、水位センサが水のインポジションを検出する場合、制御回路は給水電磁弁２９を閉じることを特徴とする、請求項７に記載のセルフクリーニング可能なローラモップ。
【請求項９】
前記ボウル本体４６の一側にオーバーフロー室５１が設けられており、洗浄室４８の側壁にオーバーフロー室に連通するオーバーフロー口２７が開設され、オーバーフロー室が外部汚水管に接続されることを特徴とする、請求項８に記載のセルフクリーニング可能なローラモップ。
【請求項１０】
前記洗浄室のベースプレートの一側が下に沈み、その内部に前記ゴミ網２８が設けられ、前記洗浄室のベースプレートがゴミ網２８の一側に向かって下へ傾斜しており、ベースプレートの中部にゴミ網に向かう流水槽５０が一つ設けられており、流水槽にトップシート２３が立設しており、前記洗浄室の底部に前記洗浄スリーブ１１に挿入できる少なくとも１本の洗浄管２２が立設しており、洗浄管の給水端が前記給水電磁弁２９に接続されることを特徴とする、請求項９に記載のセルフクリーニング可能なローラモップ。
【発明の詳細な説明】
【技術分野】
【０００１】
本発明は、モップクリーナーに関し、特にローラを用いて床面を掃除し、セルフクリーニング機能を有するローラモップに関する。
【背景技術】
【０００２】
モップは重要な掃除用具であり、従来のモップで床面を掃除する場合、労働強度が大きく、掃除能力が制限され、細かいゴミを多く回収できず、床掃除を繰り返さないと掃除の目的を達成することができない。それと同時に、従来のモップは、自己清浄の機能を有していないものが多い。そのため、掃除効率が高く、大量の細かいゴミを収容でき、セルフクリーニング機能を有する床掃除機の設計が急がれている。
【発明の概要】
【０００３】
本発明は従来のモップによる労働強度が大きく、掃除効率が高くなく、多くの細かいゴミを収容できず、セルフクリーニング機能を有しないという技術的課題を解決しようとするものであり、ローラを用いて床面を掃除し、セルフクリーニング機能を有するモップが提供される。
【０００４】
上記技術的課題を解決するために、本発明が提供する技術方案はプルロッドと、モップ頭部品と、モップ頭部品を収容できる洗浄ボウルと、を備えるセルフクリーニング可能なローラモップを設計するものである。前記プルロッドは把握操作するためのものであり、内部には制御回路と、制御回路に電気的に接続される電池と、電源ボタンと、自己清浄ボタンと、信号接触片と、充電接触片とが設けられ、外部にはフックが設けられている。前記モップ頭部品は、ハウジングを有し、ハウジングの後端がプルロッドの底部にヒンジで接続され、ハウジングの内部に制御回路によって制御されるモータが設けられており、モータはその外側のローラを駆動でき、ローラの下部がハウジングの前部から露出して床面を掃除し、ハウジングの内部には、ローラに近い位置にゴミ箱が設けられている。前記洗浄ボウルはボウル本体を有し、ボウル本体に上下重ね合わせる洗浄室と出水室が設けられており、洗浄室は上方に開放され洗浄対象のモップ頭部品を収容するために用いられ、給水電磁弁を介して外部の水道水に接続される。出水室が排水電磁弁を介して外部汚水管に接続され、洗浄室と出水室との間にゴミ網が設けられており、前記ボウル本体の一側にプルロッドを支持するための１本の支持柱が立設し、支持柱にプルロッドフックを差し込むためのソケットと、信号ドームと、充電ドームとが設けられており、給水電磁弁と排水電磁弁が信号接触片、信号ドームを介して制御回路に接続され、商用電源が電源アダプタを経由してから充電接触片、充電ドームを介して制御回路に接続される。
【０００５】
前記ハウジングは上下係合され得る上蓋とシャーシとを有し、シャーシの後部が回転軸を介してプルロッドの底部にヒンジで接続され、シャーシの後部に車輪が設けられている。
【０００６】
前記ゴミ箱の前端は、ローラと床面に近接する位置に掻き取りゴムシートが１つ取り付けられ、上蓋の中部にローラ表面を掃除するための掃除シートが１つ固定され、前記ゴミ箱の底面には、上方に開けられる１枚のフラップドアと、上方に突出した少なくとも１本の中空の洗浄スリーブとが開設される。
【０００７】
前記上蓋の前端とシャーシの前端とがヒンジで接続され、上蓋の後端がスプリングハンドルを介してシャーシの中部に係合される。
【０００８】
前記プルロッドの先端にモップ頭部品の方に曲がるハンドルが設けられており、前記電源ボタンと自己清浄ボタンが前記ハンドルに設けられる。
【０００９】
前記シャーシの中部とプルロッドの下端との間にバネが設けられており、プルロッドは外力が働いていない場合、バネによって駆動されモップ頭部品の上方に移行することで、ローラモップが立設姿勢を保っており、前記プルロッドは伸縮ロッドを用いる。
【００１０】
前記電池は長尺形構造を用い、プルロッドの底部の外側壁に係止され、前記掃除シートはブラシ又はゴムシートを用い、ローラは高分子フォームを用いる。
【００１１】
前記洗浄室の側壁に制御回路に接続される水位センサが設けられ、水位センサが水のインポジションを検出する場合、制御回路は給水電磁弁を閉じる。
【００１２】
前記ボウル本体の一側にオーバーフロー室が設けられており、洗浄室の側壁にオーバーフロー室に連通するオーバーフロー口が開設され、オーバーフロー室が外部汚水管に接続される。
【００１３】
前記洗浄室のベースプレートの一側が下に沈み、その内部に前記ゴミ網が設けられ、前記洗浄室のベースプレートがゴミ網の一側に向かって下へ傾斜しており、ベースプレートの中部にゴミ網に向かう流水槽が一つ設けられており、流水槽にトップシートが立設しており、前記洗浄室の底部に前記洗浄スリーブに挿入できる少なくとも１本の洗浄管が立設しており、洗浄管の給水端が前記給水電磁弁に接続される。
【００１４】
従来技術に比べ、本発明にはゴミ回収箱が付いており、数多くの細かいゴミを収容でき、モータによる駆動で労働強度が軽減され、連続作業が可能であり掃除効率が高く、同時に自己清浄の機能を有し、手軽で便利に使用される。
【図面の簡単な説明】
【００１５】
【図１】図１はプルロッドとモップ頭部品の正面斜視図である。
【図２】図２はプルロッドとモップ頭部品の背面斜視図である。
【図３】図３はモップ頭部品の断面図である。
【図４】図４はモップ頭部品の正面斜視図である。
【図５】図５はモップ頭部品の展開図である。
【図６】図６はモップ頭部品の底面斜視図である。
【図７】図７は洗浄ボウルの正面斜視図である。
【図８】図８は洗浄ボウルの背面斜視図である。
【図９】図９は洗浄ボウルの断面図である。
【図１０】図１０はローラモップの正面斜視図である。
【図１１】図１１はローラモップの背面斜視図である。
【発明を実施するための形態】
【００１６】
本発明の目的、技術方案及びメリットがより一層明らかになるように、以下に添付図面及び実施例に基づき、本発明をさらに詳述する。なお、ここに説明される具体的な実施例は本発明を説明するためのものに過ぎず、本発明を限定ためのものではない。
【００１７】
本発明では、プルロッド４１と、モップ頭部品１と、モップ頭部品を収容できる洗浄ボウルと、を備えるセルフクリーニング可能なローラモップが開示されている。プルロッドは把握操作するためのものであり、モップ頭部品中のモータによって駆動されてローラが床面を掃除し、床掃除終了後、モップ頭部品を洗浄ボウルに入れて充電し水で洗浄することができる。
【００１８】
図１、２、１０、１１を参照する。前記プルロッドは把握操作するためのものであり、内部には制御回路と、制御回路に電気的に接続される電池２と、電源ボタン５と、自己清浄ボタン４と、信号接触片８と、充電接触片７とが設けられ、外部にはフック６が設けられている。電池は制御回路とモップ頭部品中のモータに電源を供給し、電源ボタン５は電源のオン／オフと床面の清掃を制御し、自己清浄ボタンはモップ頭部品が洗浄ボウルにセルフクリーニングするように制御し、信号接触片と充電接触片はプルロッドと洗浄ボウルとを電気的に接続させるためのものである。
【００１９】
前記モップ頭部品はハウジングを有し、ハウジングの後端がプルロッドの底部にヒンジで接続され、ハウジングの内部に制御回路によって制御されるモータ１５が設けられており、モータはその外側のローラ１０を駆動でき、ローラの下部がハウジングの前部から露出して、モータから駆動されて逆時計回りに回転し、転がり摩擦で床面を掃除する。ハウジングの内部には、ローラに近い位置にゴミ箱１７が設けられており、ローラに巻き込まれたゴミがゴミ箱に落ちる。
【００２０】
図７、８、９を参照する。前記洗浄ボウルは、ボウル本体４６と、ボウル本体の一側に立設される支持柱４７とを有する。ボウル本体に上下重ね合わせる洗浄室４８と出水室４９とが設けられている。洗浄室は、上方に開放され洗浄対象のモップ頭部品を収容するために用いられ、給水電磁弁２９を介して外部の水道水に接続され、出水室は排水電磁弁３１を介して外部汚水管に接続され、洗浄室と出水室との間にゴミ網２８が設けられている。ゴミ網はゴミを包み取ることができ、洗浄プログラム終了後に、取り出して捨てることが可能である。前記支持柱はプルロッドを支持するために用いられ、その先端にソケット２４が設けられており、プルロッドにおけるフック６は、ソケット２４に挿入できる。支持柱の側面に信号ドーム８ａと充電ドーム７ａとが設けられており、前記水位センサ、給水電磁弁及び排水電磁弁が信号接触片、信号ドームを介して制御回路に接続され、商用電源が電源アダプタを経由してから充電接触片、充電ドームを介して制御回路に接続される。フックがソケットに挿入され、洗浄管が洗浄スリーブに挿入されることで、信号接触片と信号ドームとが、信号ドームと充電ドームとが互いにされ、良好な電気接続が得られる。図８において、符号２０は外部に接続される電源線を示し、電源アダプタは洗浄ボウルのボウル本体内に取り付けられても、ボウル本体外に取り付けられてもよい。図１０及び図１１に示す使用模式図を参照する。ローラモップ４１を洗浄ボウルに入れ、ユーザが洗浄ボタンを押し、制御回路が給水電磁弁２９の開弁を制御し、排水電磁弁３１が開かれ、流水でローラモップを洗浄する。このローラをきれいに洗浄するために、洗浄時にローラがそれに合わせて回転する必要がある。
【００２１】
図３、４、５、６に示す好ましい実施例を参照する。前記ハウジングは、上下係合され得る上蓋４２と、シャーシ４３とを有する。シャーシの後部が回転軸４４を介してプルロッドの底部にヒンジで接続され、シャーシの後部に車輪４５が設けられている。ローラは車輪とともにモップ頭部品を支持することで、シャーシと床面とが平行となる。種々の角度で操作を容易に行うように、プルロッドは柔軟に垂直になったり、斜めになったりすることができる。
【００２２】
前記ゴミ箱１７の前端は、ローラと床面に近接する位置に掻き取りゴムシート１８が１つ取り付けられ、上蓋の中部にローラ表面を掃除するための掃除シート１４が１つ固定され、前記ゴミ箱１７の底面には、上方に開けられる１枚のフラップドア１３と、上方に突出した少なくとも１本の中空の洗浄スリーブ１１とが開設される。ローラは逆時計回りに回転し床面を掃除し、床面のゴミがその右側にもたらされ、大粒のゴミが自動的にゴミ箱に落下し、小さなゴミが掃除シートによってゴミ箱に掃き込まれる。掻き取りゴムシート１８は底面に残った汚れと水分を掻き取り、床面をさらに掃除することができる。モップ頭部品を洗浄ボウルに入れて洗浄する場合、洗浄スリーブに浄水が注入され、フラップドア１３が突き上げられ、浄水でゴミ箱内のゴミが洗い流される。
【００２３】
前記上蓋４２の前端とシャーシ４３の前端とがヒンジで接続され、上蓋の後端がスプリングハンドル９を介してシャーシの中部に係合される。図５に上蓋が開いた状態を示しており、上蓋が開いた後、掃除シート１４とローラ１０を交換できる。図４において符号１６はローラ取り外しボタンを示す。
【００２４】
ローラモップを押し引きし操作しやすいように、前記プルロッド４１の先端にモップ頭部品の方に曲がるハンドル５２が設けられており、前記電源ボタン５と自己清浄ボタン４が前記ハンドルに設けられる。
【００２５】
前記シャーシ４３の中部とプルロッド４１の下端との間にバネ５３が設けられており、プルロッドは外力が働いていない場合、バネによって駆動されモップ頭部品１の上方に移行することで、ローラモップが立設姿勢を保っている。この構造により、ローラモップのバランスをとることができ、転倒することはない。前記プルロッド４１は、プルロッドの長さを調整しやすいように、伸縮ロッドを用いる。
【００２６】
前記電池２は長尺形構造を用い、プルロッドの底部の外側壁に係止され、電池交換をしやすくなる。前記掃除シート１４はブラシ又はゴムシートを用いる。なお、ブラシ又はゴムシートについて、掃除シートの種類を限定するためのものではなく、ローラにおけるゴミが掃き取れるとともにローラを傷つけない材料を用いれば良い。ローラは高分子フォームを用いる。
【００２７】
図７、８、９に示す好ましい実施例を参照する。前記ボウル本体４６の一側にオーバーフロー室５１が設けられており、洗浄室４８の側壁にオーバーフロー室に連通するオーバーフロー口２７が開設され、オーバーフロー室が外部汚水管に接続される。操作過程において、水がボウル本体の上エッジから溢れて底面を汚すことを防止するように、洗浄室中の水位を限定することができる。給水電磁弁２９の出水端は、オーバーフロー室に接続され得、添付図面２中の排水口２１は外部汚水管に接続するのに用いられる。
【００２８】
前記洗浄室のベースプレートの一側が下に沈み、その内部に前記ゴミ網２８が設けられる。前記洗浄室のベースプレートがゴミ網２８の一側に向かって下へ傾斜しており、ベースプレートの中部にゴミ網に向かう流水槽５０が一つ設けられており、流水槽にトップシート２３が立設している。前記洗浄室の底部に前記洗浄スリーブ１１に挿入できる少なくとも１本の洗浄管２２が立設しており、洗浄管の給水端が前記給水電磁弁２９に接続される。この構造は、ローラモップを立て、ローラをできる限り水に没入させ、それと同時にローラとゴミ網２８との間に大きな勾配の落差があり、ローラとローラの傍のゴミ箱におけるゴミを洗浄しやすいようにする。前記トップシート２３はローラモップのゴミ箱の底部のフラップドアを突き上げることができ、洗浄管がローラモップの内部に深く入り込み、ローラとゴミ箱を洗浄し、徹底的な洗浄効果を達成することができる。流水槽５０は、そこにある排水の経路を広げることができる。好ましい実施例において、洗浄管と洗浄スリーブはそれぞれ２本あり、洗浄管が洗浄スリーブに挿入する場合、ゴミ箱を徹底的に洗浄する同時に、モップ頭部品を洗浄ボウルに位置決めする役割も兼ねる。
【００２９】
以下にセルフクリーニングプログラムを説明する。１．モップ頭部品が洗浄ボウルに挿入され、信号接触片と信号ドームとが、信号ドームと充電ドームとが接触し、フラップドア１３がトップシート２３によって突き上げられ、ボウル本体における表示ランプが点灯する。２．ユーザが自己清浄ボタン４を押し、排水電磁弁が閉じ、給水電磁弁が開き、水道水が洗浄ボウルに入りゴミ箱に大量に流し込む。３．フラップドアは突き上げ状態であり、ゴミが水とともに流出し、汚水が底部の出水室に流れ込む。４．水位がセンサに達する場合、給水電磁弁が閉じ、ローラが逆時計回りに速やかに回転し、多くの水をゴミ箱に送り込み、再びゴミ箱を洗浄する役割を果たすとともに、ローラと掃除シートも洗浄される。５．給水電磁弁が２分間閉じた後、排水電磁弁が開き、汚水がホースを介して底の経路に排水される（ローラが回転したまま）。６．排水電磁弁が１分間開いた後に、ローラが回転を止め、ローラモップが自動的に充電モードに入る。７．洗浄ボウルにおける充電表示ランプ（図７において符号２５で示される）が点灯する。
【００３０】
以上の実施例は例を挙げて説明されるものに過ぎず、制限されるものではない。本出願の趣旨と範囲を逸脱することなく等価の変形又は変更を行うものは、全て本願の特許請求の範囲に含まれるべきである。
【図１】
2019528148.tif 000003
【図２】
2019528148.tif 000004
【図３】
2019528148.tif 000005
【図４】
2019528148.tif 000006
【図５】
2019528148.tif 000007
【図６】
2019528148.tif 000008
【図７】
2019528148.tif 000009
【図８】
2019528148.tif 000010
【図９】
2019528148.tif 000011
【図１０】
2019528148.tif 000012
【図１１】
2019528148.tif 000013
【国際調査報告】
2019528148.tif 000014
2019528148.tif 000015
2019528148.tif 000016
2019528148.tif 000017
2019528148.tif 000018